(57)【要約】【課題】まつ毛パーマを施しながらまつ毛エクステンション用も施す場合において、まつ毛に付けられたエクステンション用まつ毛が剥がれることを抑制する。【解決手段】本発明のまつ毛パーマの施術方法は、まつ毛５におけるパーマをかける部位となるパーマ部５ｂと、まつ毛５におけるパーマを回避する部位となる非パーマ部５ａと、からなるまつ毛５にエクステンション用まつ毛４０を付けるまつ毛パーマの施術方法であって、非パーマ部５ａにエクステンション用まつ毛４０を付ける工程を含むことを特徴とする。【選択図】図１
2020031799.tif 000002
【特許請求の範囲】
【請求項１】
まつ毛におけるパーマをかける部位となるパーマ部と、前記まつ毛におけるパーマを回避する部位となる非パーマ部と、からなるまつ毛にエクステンション用まつ毛を付けるまつ毛パーマの施術方法であって、
前記非パーマ部に前記エクステンション用まつ毛を付ける工程を含むことを特徴とするまつ毛の施術方法。
【請求項２】
前記パーマ部および前記非パーマ部は、目頭側からパーマ部、非パーマ部の順で連なることを特徴とする請求項１に記載のまつ毛パーマの施術方法。
【請求項３】
前記パーマ部および前記非パーマ部は、目頭側からパーマ部、非パーマ部、パーマ部の順で連なることを特徴とする請求項１または２に記載のまつ毛パーマの施術方法。
【請求項４】
前記パーマ部および前記非パーマ部は、目頭側および目尻側をパーマ部とし、前記パーマ部に囲まれた目の中央部側を非パーマ部とすることを特徴とする請求項１乃至請求項３のいずれか一項に記載のまつ毛パーマの施術方法。
【請求項５】
前記エクステンション用まつ毛が付けられた非パーマ部の左右方向の位置と、前記目における虹彩の左右方向の位置とが一部または全部において重なることを特徴とする請求項１乃至請求項４のいずれか一項に記載のまつ毛パーマの施術方法。
【請求項６】
前記エクステンション用まつ毛が付けられた非パーマ部の左右方向の位置と、前記目における瞳孔の左右方向の位置とが一部または全部において重なることを特徴とする請求項１乃至請求項５のいずれか一項に記載のまつ毛パーマの施術方法。
【請求項７】
前記パーマ部および前記非パーマは、目頭側をパーマ部、目尻側を非パーマ部とすることを特徴とする請求項２に記載のまつ毛パーマの施術方法。 
【請求項８】
まつ毛におけるパーマをかける部位となるパーマ部と、前記まつ毛におけるパーマを回避する部位となる非パーマ部と、からなるまつ毛であって、
前記非パーマ部に前記エクステンション用まつ毛が付けられていることを特徴とするまつ毛。
【請求項９】
前記パーマ部および前記非パーマ部は、目頭側からパーマ部、非パーマ部の順で連なることを特徴とする請求項８に記載のまつ毛。
【請求項１０】
前記パーマ部および前記非パーマ部は、目頭側からパーマ部、非パーマ部、パーマ部の順で連なることを特徴とする請求項８または請求項９に記載のまつ毛。
【請求項１１】
前記パーマ部および前記非パーマ部は、目頭側および目尻側をパーマ部とし、前記パーマ部に囲まれた目の中央部側を非パーマ部とすることを特徴とする請求項９に記載のまつ毛パーマの施術方法。
【請求項１２】
前記エクステンション用まつ毛が付けられた非パーマ部の左右方向の位置と、前記目における虹彩の左右方向の位置とが一部または全部において重なることを特徴とする請求項８乃至請求項１１のいずれか一項に記載のまつ毛。
【請求項１３】
前記エクステンション用まつ毛が付けられた非パーマ部の左右方向の位置と、当該目における瞳孔の左右方向の位置とが一部または全部において重なることを特徴とする請求８乃至請求項１１のいずれか一項に記載のまつ毛。
【請求項１４】
前記パーマ部および前記非パーマは、目頭側をパーマ部、目尻側を非パーマ部とすることを特徴とする請求項９に記載のまつ毛。 
【発明の詳細な説明】
【技術分野】
【０００１】
本発明は、まつ毛パーマの施術方法およびまつ毛に関し、特にまつ毛におけるパーマをかける部位となるパーマ部と、まつ毛におけるパーマを回避する部位となる非パーマ部と、からなるまつ毛パーマの施術方法およびまつ毛に関する。
【背景技術】
【０００２】
特に昨今は若者世代や女性を中心にまつ毛パーマがブームとなっている。このまつ毛パーマの施術方法は、例えば特許文献１に開示される技術が参照される。
【先行技術文献】
【特許文献】
【０００３】
【特許文献１】特開平６−１０５７０９号公報
【発明の概要】
【発明が解決しようとする課題】
【０００４】
ところで近年はまつ毛パーマを施しながらまつ毛エクステンションも施すことが要求されており、かかる技術の確立が急務となっているが、パーマがかかったまつ毛に対してエクステンション用まつ毛を付けると、当該エクステンション用まつ毛が剥がれやすくなることがある。
【０００５】
本発明は、まつ毛パーマを施しながらまつ毛エクステンション用も施す場合において、まつ毛に付けられたエクステンション用まつ毛が剥がれることを抑制することができるまつ毛パーマの施術方法およびまつ毛を提供することを目的とする。
【課題を解決するための手段】
【０００６】
上記目的を達成するため、本発明に係るまつ毛パーマの施術方法は、まつ毛におけるパーマをかける部位となるパーマ部と、前記まつ毛におけるパーマを回避する部位となる非パーマ部と、からなるまつ毛にエクステンション用まつ毛を付けるまつ毛の施術方法であって、前記非パーマ部に前記エクステンション用まつ毛を付ける工程を含むことを特徴とする。
【０００７】
本発明によれば、前記非パーマ部に前記エクステンション用まつ毛を付ける工程を含むことにより、まつ毛パーマを施しながら非パーマ部にのみエクステンション用まつ毛も施すことができる。すなわち、まつ毛パーマをかけることにより例えば湾曲したまつ毛にエクステンション用まつ毛を付けることは容易ではなく、本発明の如く非パーマ部にエクステンション用まつ毛を付けることにより、部分的なまつ毛パーマと部分的なまつ毛エクステンションを行うことができ、まつ毛に付けられたエクステンション用まつ毛が剥がれることを抑制することができる。
【０００８】
前記パーマ部および前記非パーマ部は、目頭側からパーマ部、非パーマ部の順で連なることにより、上記の如く非パーマ部にエクステンションまつ毛を付ける場合において、手を触れることの多い目頭側にエクステンションまつ毛が付けられることが少なくなり、手の接触によりエクステンションまつ毛が脱落することを抑制することができる。
【０００９】
前記パーマ部および前記非パーマ部は、目頭側からパーマ部、非パーマ部、パーマ部の順で連なることにより、上記の如く非パーマ部にエクステンション用まつ毛を付ける場合において、顔の横側からまつ毛を見たときにパーマ部がエクステンション用まつ毛によって見えづらくなることを抑制することができる。
【００１０】
前記パーマ部および前記非パーマ部は、目頭側および目尻側をパーマ部とし、前記パーマ部に囲まれた目の中央部側を非パーマ部とすることにより、左右の目が離れた場合にあっても、第三者に左右の目が近づいた印象を与えることができる。
【００１１】
前記エクステンション用まつ毛が付けられた非パーマ部の左右方向の位置と、前記目における虹彩の左右方向の位置とが一部または全部において重なることにより、パーマ部の位置が虹彩の位置と重なり、パーマ部が虹彩の色と同化することによって目視しづらくなることを抑制することができる。
【００１２】
前記エクステンション用まつ毛が付けられた非パーマ部の左右方向の位置と、前記目における瞳孔の左右方向の位置とが一部又は全部重なることにより、パーマ部の位置が瞳孔の位置と重なり、パーマ部が瞳孔の色と同化することによって目視しづらくなることを抑制することができる。
【００１３】
前記パーマ部および前記非パーマは、目頭側をパーマ部、目尻側を非パーマ部とすることにより、左右の目が近い場合にあっても、第三者に左右の目が離れた印象を与えることができる。
【００１４】
上記目的を達成するため、本発明に係るまつ毛は、まつ毛におけるパーマをかける部位となるパーマ部と、前記まつ毛におけるパーマを回避する部位となる非パーマ部と、からなるまつ毛であって、前記非パーマ部に前記エクステンション用まつ毛が付けられていることを特徴とする。
【００１５】
前記パーマ部および前記非パーマ部は、目頭側からパーマ部、非パーマ部の順で連なる。
【００１６】
前記パーマ部および前記非パーマ部は、目頭側からパーマ部、非パーマ部、パーマ部の順で連なる。
前記パーマ部および前記非パーマ部は、目頭側および目尻側をパーマ部とし、前記パーマ部に囲まれた目の中央部側を非パーマ部とする。
【００１７】
前記エクステンション用まつ毛が付けられた非パーマ部の左右方向の位置と、前記目における虹彩の左右方向の位置とが一部または全部において重なる。
前記エクステンション用まつ毛が付けられた非パーマ部の左右方向の位置と、当該目における瞳孔の左右方向の位置とが一部または全部において重なる。
【００１８】
前記パーマ部および前記非パーマは、目頭側をパーマ部、目尻側を非パーマ部とする。 
【発明の効果】
【００１９】
本発明によれば、まつ毛パーマを施しながらまつ毛エクステンション用も施す場合において、まつ毛に付けられたエクステンション用まつ毛が剥がれることを抑制することができる。
【図面の簡単な説明】
【００２０】
【図１】本発明の実施形態に係るまつ毛パーマの施術方法を説明するための正面図である。
【図２】まつ毛パーマの施術方法を説明するための図１に続く正面図である。
【図３】図１から図２の状態を側面から見た図であり、（ａ）は図１の状態を示す側面図、（ｂ）は非パーマ部のまつ毛の位置を肌から離間する位置から退避する位置とした状態を示す側面図、（ｂ）は図２の状態を示す側面図である。
【図４】まつ毛パーマの施術方法を説明するための図２および図３に続く正面図である。
【図５】まつ毛パーマの施術方法を説明するための図４に続く正面図である。
【図６】まつ毛パーマの施術方法に用いられる狭持器具の構成を示す図で、（ａ）は狭持器具を閉塞した状態を示す正面図、（ｂ）は同側面図、（ｃ）は上面図、（ｄ）は下面図、（ｅ）は狭持器具を開放した状態を示す正面図である。
【図７】狭持器具によりまつ毛を狭持する状態を示す図で、（ａ）は狭持前の状態を示す側面図（可動体が枠体の下部側に位置する状態）、（ｂ）は狭持前の状態を示す（ａ）に続く側面図（可動体が枠体の中間部に位置する状態）、（ｃ）は狭持後の状態を示す拡大側面断面図である（可動体が枠体の上部側に位置する状態）。
【図８】まつ毛パーマの施術方法を説明するための図５に続く正面図である。
【図９】まつ毛パーマの施術方法を説明するための図８に続く正面図である。
【図１０】まつ毛パーマの施術方法を説明するための図９に続く正面図である。
【図１１】まつ毛パーマの施術方法を説明するための図１０に続く正面図である。
【図１２】まつ毛パーマの施術方法を説明するための図１１に続く正面図である。
【図１３】本発明の変形例を示す正面図である。
【発明を実施するための形態】
【００２１】
以下、図面を参照して、本発明の実施形態に係るまつ毛パーマの施術方法を詳細に説明する。図１〜図５、図８〜図１２は、まつ毛パーマの施術方法を説明するための図、図６は、まつ毛パーマの施術方法に用いられる狭持器具の構成を示す図、図７は狭持器具によりまつ毛を狭持する状態を示す図である。なお、以下の説明においては、図１および図３に示すように、主に顔１を正面から見た状態および顔１を側面から見た状態を基準に方向を定義するものとする。
【００２２】
すなわち、本発明のまつ毛パーマの施術方法は、まつ毛５より詳しくは上まつ毛５（以下まつ毛５，５ａ´，５ｂ´というときは上まつ毛を指すものとする）にパーマおよび付けまつ毛４０を施す施術方法としている。
【００２３】
なお、本発明においては、付けまつ毛４０は、まつ毛エクステンションに用いられるエクステンション用まつ毛４０としている（以下、付けまつ毛４０は、エクステンション用まつ毛４０とする）。
また、本発明において、エクステンションとは、付け毛を付ける(装着する)ことを指し、例えば毛を長く見せたり、アクセサリーのように用いることができる。更に、エクステンション用まつ毛とは、エクステンションに用いられる付けまつ毛をいい、まつ毛エクステンションとは、まつ毛に対して行うエクステンションを指す。
【００２４】
更にまた、本発明においてまつ毛とは、人間のまつ毛に加え、動物やマネキンのまつ毛や付けまつ毛のように人間以外の生物のまつ毛や人工的に作られたまつ毛も含む。すなわちエクステンション用まつ毛もまつ毛の一部とみなす。
【００２５】
本施術方法では、図１に示すように、まず人体の顔１の目２の周囲における肌３に該肌３を固定するための肌固定部材１０を施す。
【００２６】
すなわち、肌固定部材１０を、目２の上方側において瞼３ａの両端側を上方に引っ張り上げるように、かつ、眉毛４まで被覆するように縦に並行に２本施す。そして、肌固定部材１０を、目２の下方側において涙袋３ｂとともに、下まつ毛を被覆するように左右方向に１本施す。つまり、後述する狭持器具３０によりパーマ部５ｂのまつ毛５ｂ´を挟んで上方を向く位置に固定する工程の前に、狭持器具３０と接触する目２の周囲の肌３に該肌３を固定する肌固定部材１０を施しておく。
【００２７】
このように肌固定部材１０により固定することで、瞼３ａが固定されるとともに、瞼３ａが引っ張り上げられるため、まつ毛５の根元が視認し易くなる。また、瞼３ａが引っ張り上げられるため、例えば、瞼３ａが奥二重である場合にも、まつ毛５の根元と瞼３ａとを誤認することが少なくなり、エクステンション用まつ毛４０を瞼３ａに誤って付けることを少なくすることができる。更に、肌固定部材１０により、涙袋３ｂとともに、下まつ毛を被覆することにより、本施術方法の対象とならない下まつ毛をパーマ液等から保護することができる。
【００２８】
なお、本施術方法においては、肌固定部材１０は、テープ状の部材とし、テープ状の部材を肌３の上より詳しくは瞼３ａおよび涙袋３ｂの上に貼り付けることにより、肌３を固定することとしている。
【００２９】
次いで、図２および図３に示すように、まつ毛５におけるパーマを回避する部位となる非パーマ部５ａのまつ毛５ａ´を、肌３の上に固定より詳しくは肌固定部材１０を介して目２の下方側の涙袋３ｂの上に固定することにより、肌３から離間する位置６から涙袋３ｂに固定する位置７に退避させる。
【００３０】
この退避させる工程は、非パーマ部５ａにおけるまつ毛５ａ´を、粘着部材２０により目２の下方側の涙袋３ｂの上に肌固定部材１０を介して貼ることによって固定し退避させる工程としており、粘着部材２０は、テープ状の部材としている。なお、退避させる工程は、非パーマ部５ａにおけるまつ毛５ａ´を、粘着剤により目２の下方側の涙袋３ｂの上に肌固定部材１０を介して固定することによって退避させる工程としてもよい。粘着剤は、例えば糊とすることができる。
【００３１】
この退避させる工程により、非パーマ部５ａの左右方向の位置は、目２における虹彩２ａの左右方向の位置または瞳孔２ｂの左右方向の位置と一部または全部において重なるように設定される（図１２参照）。
【００３２】
続いて、図４および図５に示すように、まつ毛５におけるパーマをかける部位となるパーマ部５ｂに肌３から離間する位置６においてパーマをかける工程を行う。このパーマ部５ｂのまつ毛５ｂ´にパーマをかける工程は、パーマをかける前に、肌３から離間する位置６において狭持器具３０によりパーマ部５ｂのまつ毛５ｂ´を挟んで更に上方に向く位置に固定する工程を更に含む（なお、肌３から離間する位置６は、上方に向く位置を含む）。
【００３３】
ここで、狭持器具３０は、図６に示すように、目２の周囲における顔１の形状に対応するように、正面から見たときに湾曲した形状に形成されている。狭持器具３０は、第１の狭持体３１と第２の狭持体３２を有し、第１の狭持体３１と第２の狭持体３２との間にパーマ部５ｂのまつ毛５ｂ´を挟んで上方に向く位置に固定することができる。
【００３４】
すなわち、第１の狭持体３１と第２の狭持体３２は、相互に相対位置を変更可能に形成されており、第１の狭持体３１は、湾曲した枠状に形成された枠体３１としている。枠体３１の内部空間の上部側には該上部側を閉塞するように湾曲した形状の板状体３１ａが備えられている。
【００３５】
第２の狭持体３２は、湾曲した板状の可動体３２とし、枠体３１内を上下方向に可動可能に形成されている。図７に示すように、可動体３２を板状体３１ａと重なるように枠体３１の上部側に可動させて、板状体３１ａの前面側３１ａ´と可動体３２の後面側３２´によりパーマ部５ｂのまつ毛５ｂ´を挟んで上方に向く位置に固定することができる。可動体３２と板状体３１ａの位置関係は、可動体３２を前方側、板状体３１ａを後方側としている。
【００３６】
なお、狭持器具３０は、可動体３２を板状体３１ａと重なるように可動させたときに、可動体３２の位置を固定する可動体固定部材３３を有している。
【００３７】
可動体固定部材３３は、板状または棒状に形成されるとともに、基端側を、枠体３１の下辺部に軸体を介して回動可能に設けられている。また、可動体固定部材３３は、先端側を、可動体３２の下端と係脱自在に形成されている。
【００３８】
これにより、可動体３２を板状体３１ａと重なるように上方に可動させたときに、可動体固定部材３３を回動させて先端側を可動体３２の下端に係止させることにより可動体３２の位置を固定することができる（可動体３２は、可動体固定部材３３の先端側と枠体３１の上辺部側との間に固定される）。また、可動体３２の位置を固定した状態から可動体固定部材３３を下方側に回動させて、前記係止した状態を解除することにより、可動体３２を枠体３１内において下方側に可動可能とすることができる。
【００３９】
ここで、パーマ部５ｂにパーマをかける工程は、パーマ部におけるまつ毛５ｂ´にパーマ液を付けることによりパーマをかける工程とすることができる。
【００４０】
すなわち、狭持器具３０は、可動体３２に、前面側から後面側に貫通する複数の穴３２ａが設けられており、パーマ液を複数の穴３２ａに流し込むことにより、可動体３２の後面側３２´と板状体３１ａの前面側３１ａ´との間に挟み込まれたパーマ部５ｂのまつ毛５ｂ´にパーマ液を付けることができる。
【００４１】
続いて、図８に示すように、パーマ部５ｂにおけるパーマをかける工程の後に狭持器具３０を顔１から外し、図９に示すように、非パーマ部５ａが退避された状態を解除する工程を行う。この解除する工程は、粘着部材２０を肌３から剥がしたり、水等で粘着剤を溶かすことにより行うことができる。
【００４２】
次いで、図１０および図１１に示すように、退避された状態を解除する工程の後に、非パーマ部５ａのまつ毛５ａ´にエクステンション用まつ毛４０を付ける工程を行う。
【００４３】
このエクステンション用まつ毛４０をまつ毛５ａ´に付ける工程は、非パーマ部５ａのまつ毛５ａ´と目２の下方側の涙袋３ｂとの間を仕切る仕切り板５０を載置して行うことができる。
【００４４】
つまり、仕切り板５０の上に非パーマ部５ａのまつ毛５ａ´を載せて均しながらエクステンション用まつ毛４０を付ける工程を行う。エクステンション用まつ毛４０を付ける工程は、例えば、ピンセット等を用いて、エクステンション用まつ毛４０を１本１本、非パーマ部５ａのまつ毛５ａ´に付けることにより行うことができる。また、仕切り板５０には、溝を設けることとして、まつ毛５ａ´を１本１本溝に入れながらエクステンション用まつ毛４０を付けることとしてもよい。
【００４５】
このように本発明のまつ毛パーマの施術方法を実施することにより、以下のまつ毛５を提供することができる。
【００４６】
すなわち、図１２に示すように、まつ毛５におけるパーマをかける部位となるパーマ部５ｂと、まつ毛５におけるパーマを回避する部位となる非パーマ部５ａと、からなるまつ毛５を形成することができ、まつ毛５は、非パーマ部５ａのまつ毛５ａ´にエクステンション用まつ毛４０が付けられていることとすることができる。
【００４７】
また、パーマ部５ｂおよび非パーマ５ａが、目頭側からパーマ部５ｂ、エクステンション用まつ毛４０が付けられた非パーマ部５ａの順で連なるまつ毛５を提供することができる。
【００４８】
より詳しくは、パーマ部５ｂおよびエクステンション用まつ毛４０が付けられた非パーマ部５ａが、目頭側からパーマ部５ｂ、エクステンション用まつ毛４０が付けられた非パーマ部５ａ、パーマ部５ｂの順で連なるまつ毛５を提供することとし、更に詳しくは、パーマ部５ｂおよびエクステンション用まつ毛４０が付けられた非パーマ部５ａが、目頭側および目尻側をパーマ部５ｂとし、パーマ部５ｂに囲まれた目２の中央部側をエクステンション用まつ毛４０が付けられた非パーマ部５ａとするまつ毛５を提供することができる。
【００４９】
また、エクステンション用まつ毛４０が付けられた非パーマ部５ａの左右方向の位置と、目２における虹彩２ａの左右方向の位置または瞳孔２ｂの左右方向の位置とが一部または全部において重なるまつ毛５を提供することができる。
【００５０】
以上説明したように、本発明によれば、まつ毛５におけるパーマを回避する部位となる非パーマ部５ａのまつ毛５ａ´を退避させる工程と、まつ毛５におけるパーマをかける部位となるパーマ部５ｂにパーマをかける工程と、を含むことにより、パーマ部５ｂと非パーマ部５ａを区分けすることができ、まつ毛５におけるパーマを回避する非パーマ部５ａ以外のまつ毛５ｂ´にのみパーマをかけることができる。
【００５１】
また、退避させる工程は、非パーマ部５ａにおけるまつ毛５ａ´を、粘着部材２０または粘着剤により肌３に退避させる工程とすることにより、パーマ部５ｂにおけるまつ毛５ｂ´と非パーマ部５ａにおけるまつ毛５ａ´を区分けすることができる。また、非パーマ部５ａにパーマ液が付着することを抑制することができる。
【００５２】
更に、非パーマ部５ａの左右方向の位置と、目２における虹彩２ａの左右方向の位置または瞳孔２ｂの左右方向の位置とが一部または全部において重なることにより、パーマ部５ｂの位置が虹彩２ａの左右方向の位置または瞳孔２ｂの左右方向の位置と重なり、パーマ部５ｂが虹彩２ａまたは瞳孔２ｂの色と同化することによって目視しづらくなることを抑制することができる（まつ毛パーマをかけるとまつ毛５が湾曲して短くなり虹彩２ａや瞳孔２ｂの黒色と同化し易くなる）。
【００５３】
更にまた、本発明によれば、非パーマ部５ａにエクステンション用まつ毛４０を付ける工程を含むことにより、より詳しくは、パーマ部５ｂにおけるパーマをかける工程の後に非パーマ部５ａが退避された状態を解除する工程と、退避された状態を解除する工程の後に、非パーマ部５ａのまつ毛５ａ´にエクステンション用まつ毛４０を付ける工程と、を含むことにより、まつ毛パーマを施しながらエクステンション用まつ毛４０も施すことができる。
【００５４】
すなわち、まつ毛パーマをかけられた湾曲したまつ毛５にエクステンション用まつ毛４０を付けることは容易ではなく、本発明の如く非パーマ部５ａにエクステンション用まつ毛４０を付けることとすれば、部分的なまつ毛パーマと部分的なまつ毛エクステンションを行うことができ、パーマ部５ｂにエクステンション用まつ毛４０を付ける場合に比べて、エクステンション用まつ毛４０が剥がれることを抑制することができる（パーマをかけたまつ毛５にエクステンション用まつ毛４０を付けると脱落もし易くなる）。
【００５５】
また、パーマ部５ｂおよび非パーマ部５ａは、目頭側からパーマ部５ｂ、非パーマ部５ａの順で連なることにより、上記の如く非パーマ部５ａにエクステンション用まつ毛４０を付ける場合において、手を触れることの多い目頭側にエクステンション用まつ毛４０が付けられることが少なくなり、手の接触によりエクステンション用まつ毛４０が脱落することを抑制することができる。
【００５６】
パーマ部５ｂおよび非パーマ部５ａは、目頭側からパーマ部５ｂ、非パーマ部５ａ、パーマ部５ｂの順で連なることにより、上記の如く非パーマ部５ａにエクステンション用まつ毛４０を付ける場合において、顔１の横側からまつ毛５を見たときにパーマ部５ｂがエクステンション用まつ毛４０によって見えづらくなることを抑制することができる。
【００５７】
更に、パーマ部５ｂおよび非パーマ部５ａは、目頭側および目尻側をパーマ部５ｂとし、パーマ部５ｂに囲まれた目２の中央部側を非パーマ部５ａとすることにより、左右の目２が離れた場合にあっても、第三者に左右の目２が近づいた印象を与えることが可能となる。
【００５８】
なお、本発明は特許請求の範囲に記載した発明の範囲内において種々の変形実施、応用実施が可能であることは勿論である。
【００５９】
すなわち、上述した実施形態にあっては、狭持器具３０を用いてまつ毛パーマを行うこととしているが、狭持器具３０を用いずにまつ毛パーマを行うこととしても所要の効果を奏する。ただし、狭持器具３０を用いてまつ毛パーマを行うこととするとより効率的であり好ましい。
【００６０】
また、上述した実施形態にあっては、パーマ液を付けてまつ毛パーマを行うこととしているが、パーマ液を用いずにまつ毛５に熱をかけてパーマを行うこととしても所要の効果を奏する。
【００６１】
更に、上述した実施形態にあっては、狭持器具３０において、可動体３２と板状体３１ａの位置関係を可動体３２を前方側、板状体３１ａを後方側とすることとしているが、可動体３２を後方側、板状体３１ａを前方側とすることとしてもよい。すなわち、可動体３２を板状体３１ａと重なるように枠体３１の上部側に可動させることとすればよく、板状体３１ａの前面側と可動体３２の後面側または板状体３１ａの後面側と可動体３２の前面側のいずれかによりパーマ部５ｂのまつ毛５ｂ´を挟んで上方に向く位置に固定すればよい。また、可動体３２に、前面側から後面側に貫通する複数の穴３２を設けることとしているが、可動体３２を後方側、板状体３１ａを前方側とするときは、板状体３１ａに、前面側から後面側に貫通する複数の穴を設けることとすればよい。
【００６２】
また、上述した実施形態にあっては、パーマ部５ｂおよび非パーマ部５ａは、目頭側および目尻側をパーマ部５ｂとし、パーマ部５ｂに囲まれた目２の中央部側を非パーマ部５ａとしているが、図１３に示すように、パーマ部５ｂおよび非パーマ５ａは、目頭側より詳しくは左右方向において目頭側から虹彩２ａを全て含む範囲をパーマ部５ｂ、目尻側より詳しくは左右方向において目尻側の虹彩２ａを除外した範囲を非パーマ部５ｂとすることができる。この場合にあっては、第三者に左右の目２が離れた印象を与えることが可能となる。
【符号の説明】
【００６３】
１：顔
２：目
２ａ：虹彩
２ｂ：瞳孔
３：肌
３ａ：瞼
３ｂ：涙袋
５：まつ毛
５ａ：非パーマ部
５ａ´：非パーマ部のまつ毛
５ｂ：パーマ部
５ｂ´：パーマ部のまつ毛
６：肌から離間する位置
７：肌に固定する位置
１０：肌固定部材
２０：粘着部材
３０：狭持部材
３１：第１の狭持体（枠体）
３１ａ：板状体
３１ａ´：前面側
３２：第２の狭持体（可動体）
３２´：後面側
３２ａ：穴
３３：可動体固定部材
４０：付けまつ毛（エクステンション用まつ毛）
５０：仕切り板
【図１】
2020031799.tif 000003
【図２】
2020031799.tif 000004
【図３】
2020031799.tif 000005
【図４】
2020031799.tif 000006
【図５】
2020031799.tif 000007
【図６】
2020031799.tif 000008
【図７】
2020031799.tif 000009
【図８】
2020031799.tif 000010
【図９】
2020031799.tif 000011
【図１０】
2020031799.tif 000012
【図１１】
2020031799.tif 000013
【図１２】
2020031799.tif 000014
【図１３】
2020031799.tif 000015